(57)【特許請求の範囲】
【請求項１】
差し込み口を有する箱本体と、
前記箱本体と切り離し線を介して繋がり、前記切り離し線の延びる方向の一端側から他端側に向かって徐々に前記箱本体から切り離される切り離し片と、
前記切り離し片に、前記切り離し線と平行な折り曲げ線を介して繋がり、当該折り曲げ線から前記切り離し片に対して折り曲げられて前記差し込み口に差し込まれる差し込み片と、を備え、
前記差し込み片の前記一端側の第１端部と前記他端側の第２端部とのうち前記第２端部のみを、前記折り曲げ線と平行な第１方向に延び、当該差し込み片を前記差し込み口から前記折り曲げ線と直交する第２方向に沿って引き抜こうとしたときに前記箱本体に引っ掛かって当該差し込み片の引き抜きを阻害する嵌め殺し形状とした、
ことを特徴とする箱。
【請求項２】
前記差し込み片は、前記切り離し片が前記一端側から前記他端側に向かって徐々に前記箱本体から切り離されることに伴って前記差し込み口から引き抜かれ、かつ、前記第１端部側から引き抜かれる、
ことを特徴とする請求項１に記載の箱。
【請求項３】
前記第１端部は、
前記第１方向に延び、前記差し込み片を前記差し込み口から前記第２方向に沿って引き抜こうとしたときに前記嵌め殺し形状よりも弱い力で前記箱本体に引っ掛かる形状であり、
前記切り離し片が前記一端側から前記他端側に向かって徐々に前記箱本体から切り離されるときに、前記箱本体の前記差し込み口周辺を破ることなく、前記差し込み口から引き抜かれる、
ことを特徴とする請求項１又は２に記載の箱。
【請求項４】
前記第２端部は、前記差し込み片が前記差し込み口に差し込まれたときに、前記箱本体における前記差し込み口の周囲に回り込む形状であり、
前記第１端部は、前記差し込み片が前記差し込み口に差し込まれたときに、前記箱本体における前記差し込み口の周囲に前記第２端部よりも短い長さだけ回り込む形状であり、
前記差し込み片が前記差し込み口に差し込まれたときに前記第１端部における前記第２方向の前記折り曲げ線側の一端が前記箱本体に接触することで、前記第１端部は前記箱本体に係止される、
ことを特徴とする請求項１〜３のいずれか１項に記載の箱。
【請求項５】
前記第１端部における前記一端は、前記折り曲げ線の延長線に対して傾斜した傾斜部を有し、
前記傾斜部は、前記箱本体に接触することで前記第１端部を前記箱本体に係止する、
ことを特徴とする請求項４に記載の箱。
【請求項６】
前記第１端部は、前記差し込み片を前記差し込み口から前記第２方向に沿って引き抜こうとしたときに前記箱本体に引っ掛かる部分がない形状である、
ことを特徴とする請求項１又は２に記載の箱。
【請求項７】
前記第１端部は、前記切り離し片が前記一端側から前記他端側に向かって前記箱本体から徐々に切り離されることで前記差し込み片が前記差し込み口から引き抜かれるときに前記箱本体に引っ掛かる部分がない形状である、
ことを特徴とする請求項１〜６のいずれか１項に記載の箱。
【請求項８】
前記一端側と前記他端側とを報知する報知手段をさらに設けた、
ことを特徴とする請求項１〜７のいずれか１項に記載の箱。
【請求項９】
前記箱本体は、第１側面片と、当該第１側面片に対向する第２側面片と、前記第１側面片と第２の折り曲げ線を介して繋がったフラップとを有し、
前記差し込み口は、少なくとも前記フラップに設けられ、
前記切り離し片は、前記第２側面片に前記切り離し線を介して繋がっている、
ことを特徴とする請求項１〜８のいずれか１項に記載の箱。
【発明の詳細な説明】
【技術分野】
【０００１】
本発明は、包装などに使用される箱に関する。
【背景技術】
【０００２】
上記箱として、例えば、特許文献１には、案内スリット２８を有する箱本体と、箱本体と切離折曲線２４を介して繋がる上蓋フラップ２５と、上蓋フラップ２５と折曲線２６を介して繋がり、案内スリット２８に差し込まれる差込係止片２７と、を備える箱が開示されている。
【先行技術文献】
【特許文献】
【０００３】
【特許文献１】特開２０１１−２３０８３７号公報
【発明の概要】
【発明が解決しようとする課題】
【０００４】
しかし、特許文献１の箱では、消費者が当該箱を開封するときに、上蓋フラップ２５を箱本体から切り離したあと、差込係止片２７を案内スリット２８から引き抜く必要があり、開封作業が面倒であった。そこで、差込係止片２７と上蓋フラップ２５とを切り離し線でつなげ、箱の開封において上蓋フラップ２５を箱本体から切り離すときに、差込係止片２７の両端（嵌め殺し形状になっている。）のうちの一方を箱本体に引っ掛からせて、当該差込係止片２７を上蓋フラップ２５から切り離させることが考えられた。このような場合、箱の開封が容易になるが、差込係止片２７が箱内部に脱落して残留してしまう不都合がある。
【０００５】
本発明は、上記点に鑑みてなされたものであり、箱の開封作業を容易にするとともに、開封作業にともなって差し込み片を箱本体に残留させないようにすることを目的とする。
【課題を解決するための手段】
【０００６】
上記の目的を達成するために、本発明に係る箱は、
差し込み口を有する箱本体と、
前記箱本体と切り離し線を介して繋がり、前記切り離し線の延びる方向の一端側から他端側に向かって徐々に前記箱本体から切り離される切り離し片と、
前記切り離し片に、前記切り離し線と平行な折り曲げ線を介して繋がり、当該折り曲げ線から前記切り離し片に対して折り曲げられて前記差し込み口に差し込まれる差し込み片と、を備え、
前記差し込み片の前記一端側の第１端部と前記他端側の第２端部とのうち前記第２端部のみを、前記折り曲げ線と平行な第１方向に延び、当該差し込み片を前記差し込み口から前記折り曲げ線と直交する第２方向に沿って引き抜こうとしたときに前記箱本体に引っ掛かって当該差し込み片の引き抜きを阻害する嵌め殺し形状とした、
ことを特徴とする。
【発明の効果】
【０００７】
本発明によれば、箱の開封作業を容易にするとともに、開封作業にともなって差し込み片を箱本体に残留させないようにすることができる。
【図面の簡単な説明】
【０００８】
【図１】本発明の実施形態１に係る箱の展開図である。
【図２】図１の箱の組立後の斜視図である。
【図３】（Ａ）は、第１〜第４底面形成片の位置関係などを示す図である。（Ｂ）は、第１〜第４底面形成片を組み合わせて形成された底面の図である。
【図４】内フラップを直角に折り曲げて第１差し込み片を差し込んだ様子を示す図である。
【図５】図２の組立後の箱における第２差し込み片の様子などを示す、箱の一部正面図である。
【図６】図１の箱の開封を行うときに外フラップを剥がす様子などを示す、箱の一部正面図である。
【図７】外フラップを剥がしたときに、箱本体から切り離された外フラップ、第２差し込み片などの平面図である。
【図８】実施形態２に係る第２差し込み片などの平面図及び一部拡大図である。
【図９】実施形態２に係る組立後の箱における第２差し込み片の様子などを示す、箱の一部正面図である。
【図１０】変形例に係る第２差し込み片などの平面図である。
【発明を実施するための形態】
【０００９】
（実施形態１）
本実施形態の箱１は、被包装体（商品など）を内部に収容することで当該被包装体を包装する包装用の紙製箱体である。箱１は、図１に示す形状の１枚の板紙として形成される。当該１枚の板紙（つまり、展開されている箱１）が組み立てられることで、直方体状の箱１（図２参照）が組み立てられる。
【００１０】
（箱１の構成）
まず、図１を参照しながら、箱１（図１に示す、展開されている箱１）の構成を説明する。なお、図１を見たときの上下左右それぞれを、以下の説明でも「上」、「下」、「左」、「右」として使用する。
【００１１】
図１に示す組立前の箱１は、図１のような輪郭の紙板に、折り曲げ線５Ａ〜５Ｎ、線状スリット６、切り込み７、及び、切り離し線８Ａ〜８Ｃを形成したものである。これらによって、箱１が備える、右側面片１１と、正面片１２と、左側面片１３と、背面片１４と、糊代片１５と、第１〜第４底面形成片２１〜２４と、内フラップ３１と、第１差し込み片３２と、外フラップ３５と、第２差し込み片３６と、右側フラップ３７と、左側フラップ３８と、吊下片５１と、吊下穴形成片５２と、が規定されている。なお、各片や各フラップは、この実施の形態では、平らな平板状である。
【００１２】
なお、折り曲げ線５Ａ〜５Ｎは、それぞれ、箱１を組み立てるときの折り曲げをスムーズにするものであり、筋加工などによって設けられる。切り離し線８Ａは、例えば、ミシン目で形成されている。切り離し線８Ａは、後述のように折り曲げ線としても機能する。切り離し線８Ｂ及び８Ｃは、例えば、切り離し線８Ａよりも切り離しが容易となるように、１つ〜２つの箇所の小領域のみを残して線状スリットを形成して設けられている。切り離し線８Ｂ及び８Ｃに含まれる線状スリットや線状スリット６は、例えば、板紙に切り込みを入れることで設けられる。なお、折り曲げ線５Ａ〜５Ｎ、切り離し線８Ａは、左右方向に平行である。
【００１３】
組立前の箱１では、右から順に、右側面片１１、正面片１２、左側面片１３、背面片１４、糊代片１５が、折り曲げ線５Ａ〜５Ｄのいずれかを介して連なっている（一列に繋がっている）。なお、各片１１〜１４のうちのいずれを最も右にさせるかは任意である。また、糊代片１５は、右側に位置してもよい。
【００１４】
右側面片１１、正面片１２、左側面片１３、背面片１４は、それぞれが矩形ないしほぼ矩形であり、組立後の箱１の４つの側面（直方体の４つの矩形の側面）それぞれを形成する。このように、正面片１２、背面片１４は、箱１の側面片となっている。
【００１５】
正面片１２の上端の中央部分（図１の展開図における正面片１２と内フラップとの境界部の中央部分）には、線状スリット６が形成されている。線状スリット６は、左右方向に延びる上辺部６Ａ（正面片１２の上辺の中央に位置している）と、上辺部６Ａの左端から下方に直線状に延びた縦線部６Ｂと、上辺部６Ａの右端から右下方向に延びてから左下方向に湾曲する湾曲部６Ｃと、を備える。上辺部６Ａは、折り曲げ線５Ｊよりもわずかに上側に位置する。線状スリット６により、箱１を組み立てたときに、第２差し込み片３６が差し込まれる差し込み口Ｓ（図４、詳しくは後述）が形成される。縦線部６Ｂと、湾曲部６Ｃとは、第２差し込み片３６の差し込みを案内する部分となる。
【００１６】
背面片１４の形状は、矩形から半円（吊下片５１及び吊下穴形成片５２の領域）を取り除いた形状となっている。背面片１４の幅（左右方向の長さ）及び高さ（上下方向の高さ）は、正面片１２とほぼ同じになっている。
【００１７】
糊代片１５は、箱１の組立時に糊代となる部分であり、箱１の組立時を容易とするために台形形状になっている（矩形とすると、上下辺が組み立ての邪魔になる）。
【００１８】
第１〜第４底面形成片２１〜２４それぞれは、右側面片１１、正面片１２、左側面片１３、背面片１４それぞれの下方に位置し、当該片１１〜１４それぞれと折り曲げ線５Ｅ〜５Ｈそれぞれを介して繋がっている。第１〜第４底面形成片２１〜２４は、箱１の組立時に組み合わさって、箱１の底面（底）を構成する（図３、詳しくは後述）。
【００１９】
第１底面形成片２１は、直角台形部分２１Ａと、直角台形部分２１Ａの短辺近傍から右方向（箱体１を組み立てたときの背面片１４に向かう方向）に突出した凸部２１Ｂと、を備える。
【００２０】
第２底面形成片２２は、矩形部分２２Ａと、矩形部分２２Ａの下辺から下方（箱体１を組み立てたときの背面片１４に向かう方向）に突出した２つの凸部２２Ｂと、を備える。
【００２１】
第３底面形成片２３は、直角台形部分２３Ａと、直角台形部分２３Ａの短辺近傍から左方向（箱体１を組み立てたときの背面片１４に向かう方向）に突出した凸部２３Ｂと、を備える。
【００２２】
第４底面形成片２４は、矩形部分２４Ａと、矩形部分２４Ａの下辺から下方（箱体１を組み立てたときの正面片１２に向かう方向）に突出した３つの凸部２４Ｂと、を備える。
【００２３】
内フラップ３１は、正面片１２の上方に位置し、正面片１２と折り曲げ線５Ｊを介して繋がっている。内フラップ３１は、箱１を組み立てたときに箱１の上部を閉じる。このため、内フラップ３１の左右方向の長さ（幅）や上下方向の長さ（箱１を組み立てたときの奥行き）は、各片１１〜１４に合わせた長さになっている。内フラップ３１は、左右方向に長尺なほぼ矩形になっている。
【００２４】
第１差し込み片３２は、内フラップ３１の上方に位置し、内フラップ３１と折り曲げ線５Ｌを介して繋がっている。第１差し込み片３２は、箱１の組立時に箱１内部に差し込まれる。この差し込みが容易となるように、従来の箱体と同様に、第１差し込み片３２の左右両端の上側が円弧状の曲線となっており、第１差し込み片３２の幅が内フラップ３１の幅よりも僅かに短くなっている。第１差し込み片３２は、左右方向に長尺なほぼ矩形になっている。
【００２５】
内フラップ３１と第１差し込み片３２との境界の左右方向の両端部は、従来の箱体と同様に左右方向に延びる切り込み７が形成されている。
【００２６】
吊下片５１及び吊下穴形成片５２は、背面片１４における取り除かれた半円部分に位置し、吊下片５１は、切り離し線８Ｂを介して背面片１４に繋がっている。吊下穴形成片５２は、切り離し線８Ｃを介して背面片１４に繋がっている。吊下片５１は、半円から、略半円形状の吊下穴形成片５２を取り除いた略扇形状になっている。吊下片５１は、箱１を商品陳列用のフックに吊り下げるためのものであり、吊下穴形成片５２は、吊下片５１から抜かれて、吊下片５１に前記フックを通すための穴５５を形成する（図２参照、詳しくは後述）。
【００２７】
外フラップ３５は、背面片１４、吊下片５１、吊下穴形成片５２の上方に位置し、外フラップ３５は、背面片１４と切り離し線８Ａを介して繋がり、吊下片５１及び吊下穴形成片５２と折り曲げ線５Ｍを介して繋がっている。外フラップ３５は、ほぼ矩形状の矩形部３５Ａ（点線（仮想線）の左側の部分）と、矩形部３５Ａの右側の側片から右側に突き出た凸部３５Ｂ（点線の右側の部分）と、を備える。外フラップ３５は、左右方向に長尺な形状であり、箱１を組み立てたときには、内フラップ３１を上側から覆う（重なる）。従って、内フラップ３１は、箱１の内側の上面（上を向く面）を形成し、外フラップ３５は、箱１の外側の上面を形成する（図２を参照）。
【００２８】
第２差し込み片３６は、外フラップ３５の上方に位置し、折り曲げ線５Ｎを介して繋がっている。第２差し込み片３６は、線状スリット６により形成される差し込み口Ｓ（図４参照、詳しくは後述。）に差し込まれる。第２差し込み片３６は、右上端部及び左上端部を円弧状の曲線３６Ｃ及び曲線３６Ｄにし、折り曲げ線５Ｎに繋がっている本体３６Ａ（点線（仮想線）の右側の部分）と、当該本体３６Ａから左方向に向かって突き出た鉤形状の爪部３６Ｂ（点線の左側の部分）と、からなる。特に、第２差し込み片３６の右端（本体３６Ａの右端）は、右側に突出する部分がなく、縦に延びる直線３６Ｅになっている。なお、第２差し込み片３６は、外フラップ３５よりも幅狭になっている。
【００２９】
第２差し込み片３６の幅Ｄ２は、線状スリット６の幅Ｄ１とほぼ同じ（同じであってもよい。）に設定されている。また、第２差し込み片３６の本体３６Ａの幅Ｄ４は、ここでは、折り曲げ線５Ｎと同じ長さであり、上辺部６Ａの長さＤ３（後述の貫通孔Ｓ１の幅でもある。）ともほぼ同じに設定されている（長さＤ３よりも幅Ｄ４の方がわずかに短い。）。なお、幅とは、左右方向の長さであり、幅Ｄ１、幅Ｄ２、幅Ｄ４は、最も幅広の部分の長さとする。
【００３０】
右側フラップ３７及び左側フラップ３８それぞれは、右側面片１１及び左側面片１３それぞれの上方に位置し、右側面片１１及び左側面片１３それぞれと折り曲げ線５Ｉ、５Ｋを介して繋がっている。右側フラップ３７及び左側フラップ３８は、箱１を組み立てたときに、内フラップ３１の下に位置するようになる。なお、右側フラップ３７及び左側フラップ３８は、従来の箱体と同様に、矩形から、箱１を組み立てたときの背面片１４側の一部を切り欠いた形状になっている。
【００３１】
（箱１の組み立て）
次に、箱１の組み立て例を説明する。図１に示す組立前の箱１（展開された箱１）を折り曲げ線５Ａ〜５Ｄで直角に山折りする。このとき、糊代片１５は、右側面片１１の裏側に位置し、糊などによって、右側面片１１の裏面（箱１を組み立てたときの内面）に接着される。これによって、上部及び下部が開放された状態の箱１が形成される。
【００３２】
その後、第１〜第４底面形成片２１〜２４それぞれを、折り曲げ線５Ｅ〜５Ｈそれぞれから、箱１の内側に直角に折り曲げて箱１の底面を形成する。
【００３３】
ここで、この底面の形成例を、図３を参照して説明する。なお、図３（Ａ）は、底面形成時の第１〜第４底面形成片２１〜２４それぞれの方向を示す。図３（Ｂ）は、第１〜第４底面形成片２１〜２４を組合せたときの底面を、組立後の箱１の下方から見た図である（図２の箱１を下方から見た図）。
【００３４】
箱１の底面の形成時、まず、第４底面形成片２４を、折り曲げ線５Ｈから箱１の内側に向かって、背面片１４に対して直角に折り曲げる。次に、第１底面形成片２１及び第３底面形成片２３を、折り曲げ線５Ｅ及び５Ｇそれぞれから箱１の内側に向かって、右側面片１１及び左側面片１３それぞれに対して直角に折り曲げる。このとき、第１底面形成片２１の凸部２１Ｂ及び第３底面形成片２１の凸部２３Ｂを第２底面形成片２４の矩形部分２４Ａの内面側（箱１の内側）に入り込ませる。
【００３５】
その後、第２底面形成片２２を、折り曲げ線５Ｆから箱１の内側に向かって、正面片１２に対して直角に折り曲げる。このとき、凸部２２Ｂそれぞれを第４底面形成片２４の矩形部分２４Ａの内面側（箱１の内側）に入り込ませる。なお、凸部２２Ｂそれぞれの外側の端部は、凸部２１Ｂ、２３Ｂそれぞれと矩形部分２４Ａとの間に挟まれる。また、第４底面形成片２４の凸部２４Ｂを第２底面形成片２２の矩形部分２２Ａの内面側（箱１の内側）に入り込ませる。
【００３６】
以上のような形成手順によって、第１〜第４底面形成片２１〜２４は組み合わさり、箱１の底面が形成される（図３（Ｂ）参照）。なお、図３（Ｂ）での破線は、組立後の箱１を下側から見たときに実際には見えない線である（図２、図５などにおける破線も実際には見えない線である。）。
【００３７】
その後、底面が形成された箱１に被包装物を入れて、箱１の上部を閉じる。具体的には、以下のようなことを行う。
【００３８】
まず、右側フラップ３７を、折り曲げ線５Ｉから箱１の内側に向かって、右側面片１１に対して直角に折り曲げる。また、左側フラップ３８も、折り曲げ線５Ｋから箱１の内側に向かって、左側面片１３に対して直角に折り曲げる。
【００３９】
その後、第１差し込み片３２を、折り曲げ線５Ｌから箱１の内側（背面片１４に向かう方）に向かって、内フラップ３１に対して直角に折り曲げる。そして、内フラップ３１を、折り曲げ線５Ｊから箱１の内側に向かって、正面片１２に対して直角に折り曲げるとともに、第１差し込み片３２を、右側フラップ３７及び左側フラップ３８と背面片１４との間を通して、箱１内部に差し込む。このようにすることで、内フラップ３１が箱１の上面を形成することになる。上述のように、内フラップ３１は、その寸法が各片１１〜１４に合わせて形成されているので、内フラップ３１は各片１１〜１４によって構成される箱１の上部の開口を閉じることができる。
【００４０】
ところで、線状スリット６の上辺部６Ａが折り曲げ線５Ｊよりも上方に位置しているので（図１参照）、内フラップ３１を折り曲げ線５Ｊから折り曲げたときには、線上スリット６の囲まれた領域は、そのまま正面片１２の一部として残る。従って、内フラップ３１は、当該線状スリット６の囲まれた領域（折り曲げ線５Ｊよりも上の領域）が抜かれた形状となる。そして、この抜かれた部分が貫通孔Ｓ１となる（図４参照）。つまり、内フラップ３１は、貫通孔Ｓ１を有する。貫通孔Ｓ１は、縦線部６Ｂ及び湾曲部６Ｃとともに、第２差し込み片３６が差し込まれる差し込み口Ｓを構成する（図４参照）。
【００４１】
その後、第２差し込み片３６を、折り曲げ線５Ｎから箱１の内側（正面片１２に向かう方）に向かって、外フラップ３５に対して直角に折り曲げる。そして、外フラップ３５を、切り離し線８Ａ及び折り曲げ線５Ｍから箱１の内側に向かって、背面片１４に対して直角に折り曲げるとともに、第２差し込み片３６を差し込み口Ｓに差し込む。貫通孔Ｓ１の幅（上辺部６Ａの長さに相当する）は、第２差し込み片３６の幅Ｄ２よりも短いので、第２差し込み片３６は、幅Ｄ２と同じ幅Ｄ１を規定する縦線部６Ｂ及び湾曲部６Ｃに入り込みながら（案内されながら）、差し込み口Ｓに差し込まれる（図２、図５参照）。これによって、外フラップ３５は、内フラップ３１に重なる。このようなことで、外フラップ３５は、箱体１の外側の上面（天面）を形成する。
【００４２】
なお、第２差し込み片３６は、差し込み口Ｓに１回差し込まれると、第２差し込み片３６と外フラップ３５との境界部分（折り曲げ線５Ｎの周辺領域）が貫通孔Ｓ１を通るようになる。上述のように、貫通孔Ｓ１の幅Ｄ３（上辺部６Ａの長さＤ３に相当する）（図１、図４など）は、第２差し込み片３６の幅Ｄ２よりも短く、第２差し込み片３６の本体３６Ａの幅Ｄ４とほぼ同じに設定されている。このため、爪部３６Ｂが正面片１２の裏側かつ貫通孔Ｓ１の周囲に回り込むようになっている（図２、図５参照）。従って、箱１を不正に開封しようとして（例えば、内フラップ３１を開けるのと同様の方法で外フラップ３５を開けようとして）、第２差し込み片３６を差し込み口Ｓから上方（折り曲げ線５Ｎに直交する方向）に引き抜こうとすると、爪部３６Ｂが内フラップ３１の内面３１Ａ（貫通孔Ｓ１の周囲）に引っ掛かり（図５参照）、当該引き抜きはこの引っ掛かりによって阻害される。このため、前記不正な開封によって第２差し込み片３６を差し込み口Ｓ（特に貫通孔Ｓ１）から上方に引き抜くことは、極めて困難となっている（所謂嵌め殺し）。なお、爪部３６Ｂが正面片１２の裏側に回り込みやすいように、折り曲げ線５Ｍから折り曲げ線５Ｎまでの長さを、右側面片１１（又は左側面片１３）の幅（箱１の奥行き）よりも短くするとよい。
【００４３】
以上のようにして、箱１の上部は、不正な開封（第２差し込み片３６の上方への引き抜き）を困難にして閉じられる。これによって、箱１の外観を変化させることなく（例えば、無理に開封しようとすると、外フラップ３５などが破れてしまい箱１は破損する）、箱１を再開封して閉じること（箱１の中身へのいたずらのための開封、閉塞など）を防止することができる。このように、爪部３６Ｂは、第２差し込み片３６の上方への引き抜きを防止するための嵌め殺し形状となっている。
【００４４】
また、吊下片５１を切り離し線８Ｂで背面片１４から切り離し、折り曲げ線５Ｍから箱１の上に折り返す。そして、吊下穴形成片５２を切り離し線８Ｃで吊下片５１から切り離すことで穴５５を形成する（図２参照）。この穴５５に商品陳列棚などの吊り下げフックを通すことで、箱１は吊下片５１により吊り下げられる。なお、吊下片５１の上下方向の長さよりも、第１差し込み片３２の上下方向の長さを長くするとよい。これによって、吊下片５１を折り返しても、当該折り返しによって形成される穴から箱１の内部が見えない。
【００４５】
（箱１の開封）
箱１を正規に開封するとき、消費者などは、外フラップ３５の凸部３５Ｂをつまんで、図２、図６の矢印Ｘの方向に、外フラップ３５を箱本体１Ａ（箱１のうちの、外フラップ３５、第２差し込み片３６、吊下片５１、及び、吊下穴形成片５２を除いた部分）から剥がしていく。この実施形態では、これによって、外フラップ３５は、切り離し線８Ａで、凸部３５Ｂの側から反対側に向かって徐々に切り離されていく。ここで、第２差し込み片３６、吊下片５１、及び、吊下穴形成片５２は、外フラップ３５と折り曲げ線５Ｍ、５Ｎで繋がっているので、外フラップ３５の切り離しによって、外フラップ３５、第２差し込み片３６、吊下片５１、及び、吊下穴形成片５２が一体的に箱本体１Ａから切り離される。図７に切り離し後の外フラップ３５などを示す。なお、外フラップ３５などが切り離されたあとは、内フラップ３１が開け閉め可能な蓋として機能し、箱１の閉塞が保たれる。
【００４６】
外フラップ３５を箱本体１Ａから切り離すとき（上述のように凸部３５Ｂ側から徐々に切り離すときをいう。以下、同様。）、第２差し込み片３６は爪部３６Ｂと内フラップ３１の内面３１Ａとの接触部分を支点として回りながら、差し込み口Ｓ（特に貫通口Ｓ１）から引き抜かれる（図６参照）。従って、第２差し込み片３６は、外フラップ３５の切り離しに伴って、爪部３６Ｂとは反対側の部分（直線３６Ｅ側の端部）から引き抜かれていく（図６参照）。なお、このような引き抜きを「正規の引き抜き」ということがある。ここで、この実施の形態では、当該反対側の端が、曲線３６Ｃと直線３６Ｅとから構成されており、第２差し込み片３６は本体３６Ａから右側（図１における右側、図５では左側）に突出する部分を有さない。このため、第２差し込み片３６の正規の引き抜きにおいて、第２差し込み片３６の直線３６Ｅ側の端部には内フラップ３１の内面３１Ａに引っ掛かる部分がなく、当該正規の引き抜きをスムーズにできる。なお、第２差し込み片３６の曲線３６Ｃにより、当該角の部分が直角形状になっているときに比べても、当該正規の引き抜き時の引っ掛かりがなく、第２差し込み片３６の正規の引き抜きをスムーズにしている。特に、曲線３６Ｃを図１の右上方向に膨らむ円弧状としたことで、当該正規の引き抜きをスムーズにしている。
【００４７】
この実施の形態に係る箱１は、上記構成によって、開封作業において外フラップ３５を剥がすのみ（切り離すのみ）で第２差し込み片３６の引き抜きなども行え、開放作業が容易であり、また、第２差し込み片３６は外フラップ３５から切り離されないので、箱１の開封時に第２差し込み片３６が箱１の内部に残留してしまうことを防止できる。
【００４８】
また、外フラップ３５では、左右方向における一端と他端とを異なる形状としており（上記では、凸部３５Ｂの有無の違いで形状を異ならせている）、これによって、外フラップ３５を剥がし始める部分がどちら側であるかや、外フラップ３５を剥がす方向などを消費者に分かり易くしている。なお、凸部３５Ｂによって、凸部３５Ｂをつまめるので、外フラップ３５の一端がつまみやすくなっており、さらに、凸部３５Ｂが切り離し線８Ａと繋がらずに離間していることで、外フラップ３５の一端がさらにつまみやすくなっている。
【００４９】
（実施形態２）
次に実施形態２について説明する。実施形態１と実施形態２とでは、第２差し込み片の形状が異なるのみで、あとの部分は同じである。以下では、実施形態１と異なる部分を主に説明し、実施形態１と実施形態２とで重複する説明は省略する。
【００５０】
実施形態２に係る箱１００は、図８に示す第２差し込み片１３６を備える。第２差し込み片１３６は、本体１３６Ａ（実施形態１の本体３６Ａに対応し、説明は実施形態１に準じる。図８では点線（想像線）に挟まれた領域）、爪部１３６Ｂ（実施形態１の爪部３６Ｂに対応し、説明は実施形態１に準じる。図８では点線より左側の領域）、本体１３６Ａから右側（爪部１３６Ｂに向かう方向と反対側）に僅か（０．５ｍｍ程度）に突き出した凸部１３６Ｆ（図８では点線より右側の領域）と、を備える。第２差し込み片１３６は、実施形態１の第２差し込み片３６に凸部１３６Ｆを付加したものである。なお、第２差し込み片１３６の右上端部の曲線１３６Ｃは、凸部１３６Ｆを付加したことに合わせて実施形態１の曲線３６Ｃとは異なる半径の円弧になっている。
【００５１】
凸部１３６Ｆにおける上下方向の折り曲げ線５Ｎ側（第２差し込み片１３６を差し込み口Ｓに差し込んだときの内フラップ３１の内面３１Ａに近い側）の端部は、折り曲げ線５Ｎの延長線などに対して４５度（図８の傾斜角Ｋ＝４５度）傾斜した傾斜部１３６Ｇになっている。また、実施形態２では、第２差し込み片１３６が実施形態１の第２差し込み片３６に凸部１３６Ｆを付加したものになっているので、本体１３６Ａと爪部１３６Ｂとからなる部分の幅Ｄ２（爪部１３６Ｂの左端から本体１３６Ａの右端までの左右方向の長さであり、実施形態１の第２差し込み片３６の幅Ｄ２と同じ。）は、線状スリット６の幅Ｄ１と同じになっている。つまり、第２差し込み片１３６の幅は、凸部１３６Ｆの幅Ｄ５分だけ、線状スリット６の幅Ｄ１よりも長くなっている。このような構成の第２差し込み片１３６が差し込み口Ｓに差し込まれたときには、第２差し込み片１３６が撓んで差し込み口Ｓに差し込まれる。このとき、凸部１３６Ｆは、正面片１２の裏側の貫通孔Ｓ１の周囲に回り込むことになる。このため、差し込み口Ｓに差し込まれた第２差し込み片１３６の傾斜部１３６Ｇが内フラップ３１の内面３１Ａの端部（貫通孔Ｓ１の縁）と点接触する（紙の厚さは無視する）（図９参照）。
【００５２】
実施形態１では、第２差し込み片３６の爪部３６Ｂとは反対側の端部が曲線３６Ｃと直線３６Ｅとで画定されており、当該端部が、内フラップ３１の内面３１Ａに引っ掛かる形状になっていない。このため、外フラップ３５の凸部３５Ｂ側（爪部３６Ｂと反対側）が内フラップ３１などから浮き上がってしまい外観上好ましくないことがあるが、前記の点接触（引っ掛かり）により、第２差し込み片１３６が箱１内部で係止され、当該浮き上がりを防止することができる。
【００５３】
箱１００の正規の開封方法は、実施形態１と同様であり、消費者などは、外フラップ３５を長手方向一端から他端に向けて徐々に箱本体１Ａから切り離していく（ここでは、剥がしていく）。このときの第２差し込み片１３６が引き抜かれる態様（正規の引き抜きの態様）は、実施形態１と同様で、第２差し込み片１３６は回りながら引き抜かれる（図６参照）。実施形態２では、差し込み片１３６に凸部１３６Ｆが設けられているが、当該凸部１３６Ｆの幅Ｄ５は、爪部３６Ｂの幅などに比べて極めて短く設定されており（例えば、０．５ｍｍ）、また、凸部１３６Ｆにおける、内フラップ３１の内面３１Ａに接触する部分が傾斜部１３６Ｇになっていることによって、差し込み片１３６の正規の引き抜きに際し、内面３１Ａの貫通孔Ｓ１側の端部が傾斜部１３６Ｇに対して相対的に摺動するので、箱１００の正規の開封による第２差し込み片１３６の正規の引き抜きに際し、凸部１３６Ｆが箱本体に引っ掛かることはなく、当該引き抜きは阻害されない。このように、第２差し込み片１３６における外フラップ３５を切り離し始める方の端部である凸部１３６Ｆは、差し込み口Ｓからの正規の引き抜きを阻害しないようになっている。このため、実施形態２でも、正規の開封による第２差し込み片１３６の引き抜きがスムーズであり、上記実施形態１と同様の効果を得られる。
【００５４】
なお、凸部１３６Ｆの幅Ｄ５は、箱１００に使用されている紙の厚さなどに応じて決定される。紙の厚さが薄いときに幅Ｄ５は長くしすぎると、外フラップ３５を剥がすことによる第２差し込み片１３６の引き抜き時に傾斜部１３６Ｇの部分と内フラップ３１の内面３１Ａとの接触によって生じる力に外フラップ３５が耐えられず、外フラップ３５が破れてしまうという不都合がある。例えば、坪量が２７０ｇ／ｍ２（平米）の場合には、Ｄ５は、０．２５ｍｍ程度がよい。坪量が３１０ｇ／ｍ２の場合には、Ｄ５は、０．５ｍｍ程度がよい。なお、坪量が３１０ｇ／ｍ２以上であっても、Ｄ５が０．５ｍｍ程度あれば、内フラップ３１の浮き上がりを防止できる。また、Ｄ５を０．５ｍｍよりも大きくすると、外フラップ３５を剥がすことによる第２差し込み片１３６の引き抜きがスムーズにならないことがある。このため、坪量が３１０ｇ／ｍ２以上の場合には、Ｄ５は約０．５ｍｍであることが望ましい。
【００５５】
（箱１、箱１００の構成など）
箱１、箱１００などは、例えば、以下のような箱とするとよい（下記の構成は、上記した構成の少なくとも一部を一例とするものである。）。なお、下記の構成の形状等は適宜のものを採用できる。
【００５６】
（構成１）
差し込み口（例えば、差し込み口Ｓ）を有する箱本体（例えば、箱本体１Ａ）と、前記箱本体と切り離し線（例えば、切り離し線８Ａ〜８Ｃ）を介して繋がり、前記切り離し線の延びる方向の一端側（例えば、外フラップ３５の凸部３５Ｂ側）から他端側（例えば、凸部３５Ｂの反対側）に向かって徐々に前記箱本体から切り離される切り離し片（例えば、外フラップ３５、吊下片５１、及び、吊下穴形成片５２）と、前記切り離し片に、前記切り離し線と平行な折り曲げ線（例えば、切り離し線とはなっていない折り曲げ線５Ｎ）を介して繋がり、当該折り曲げ線から前記切り離し片に対して折り曲げられて前記差し込み口に差し込まれる差し込み片（例えば、第２差し込み片３６、１３６）と、を備え、前記差し込み片の前記一端側の第１端部（例えば、直線３６Ｅ側の端部、凸部１３６Ｆ）と前記他端側の第２端部（例えば、爪部３６Ｂ、１３６Ｂ）とのうち前記第２端部のみを、前記折り曲げ線と平行な第１方向に延び、当該差し込み片を前記差し込み口から前記折り曲げ線と直交する第２方向に沿って引き抜こうとしたとき（例えば、不正な開封により第２差し込み片３６、１３６を上方に引き抜こうとしたとき）に前記箱本体に引っ掛かって当該差し込み片の引き抜きを阻害する嵌め殺し形状（例えば、爪部３６Ｂ、１３６Ｂの形状）とした、ことを特徴とする箱。
【００５７】
上記実施の形態では、差し込み口Ｓは、内フラップ３１と正面片１２とにわたっている。具体的には、内フラップ３１が、差し込み後に第２差し込み片３６、１３６のくびれた部分（折り曲げ線５Ｎ付近）が通る貫通孔Ｓ１を有し、正面片１２が、第２差し込み片３６、１３６の差し込みを案内する線状スリット６の縦線部６Ｂ及び湾曲部６Ｃを有する。しかし、上記「差し込み口」は、内フラップ３１のみに設けられたり、正面片１２のみに設けられたりしてもよい。このような場合であっても、上記「差し込み片」の差し込みを案内する案内部（スリットなど）を設けるとよい。
【００５８】
なお、上記「差し込み片」は、少なくとも一部が上記「差し込み口」に差し込まれる形状としてもよい。例えば、差し込み口Ｓが正面片１２のみに設けられる場合（図１の場合よりも下方に設けられる場合など）、第２差し込み片３６、１３６は、差し込み口Ｓから箱本体１Ａの内側に入り込む部分（爪部３６Ｂ、１３６Ｂなどを含む部分）と、当該入り込む部分と当該入り込む部分と折り曲げ線５Ｎとを繋ぐ部分（箱１の外側に露出する部分）とを含むようにしてもよい。このような場合、上記「切り離し片」を切り離したあと、上記「差し込み片」を実施形態１などと同様に回転させるようにして引き抜くようにしてもよい。
【００５９】
上記「箱」は、立方体形状、六角柱形状、その他の形状であってもよい。上記「箱本体」は、箱１から外フラップ３５、第２差し込み片３６、１３６を切り離した、残りの部分などであればよい。なお、吊下片５１、及び、吊下穴形成片５２などを設けなくてもよく、外フラップ３５のみが切り離し線（図１の左右の切り離し線８Ａが繋がった線など）を介して箱本体１Ａに繋がってもよい。上記「切り離し片」は、外フラップ３５のみであってもよい。
【００６０】
上記「嵌め殺し形状」は、上記「差し込み片」を上記「第２方向」（上方など）に沿って引き抜こうとしたときに、上記「箱本体」（上記実施形態では、箱体１Ａの内面であり、正面片１２や内フラップ３１の内面など、どこに引っ掛かるかは差し込み口Ｓの位置などによる。）に引っ掛かって、当該引き抜きを阻害するものであればよく、その幅（図１における左右方向に延びる長さ）や形状は適宜変更可能である。なお、上記「嵌め殺し形状」は、前記引き抜き時に上記「差し込み口」の縁に引っ掛かるのではなく、前記引き抜き時に上記「箱本体」における当該縁から離れた位置に少なくとも引っ掛かる形状であることが望ましい。上記「嵌め殺し形状」の上記「第２端部」は、所定の幅（図１における左右方向に延びる長さ）をもって上記「箱本体」に引っ掛かるものであってもよい。
【００６１】
上記「差し込み片」の上記「第１端部」は、例えば、図１０に示すように、直線３６Ｅ又は１３６Ｅを用いずに、曲線３６Ｃ又は１３６Ｃのみで構成するようにしてもよい。また、図１０の曲線３６Ｃ又は１３６Ｃを図１０の左側に傾斜した斜めの直線としてもよい。図１０のように、第２差し込み片３６、１３６の端部を上下方向に延びる直線がない形状にすることで、第２差し込み片３６、１３６の引き抜きをよりスムーズにできる。
【００６２】
上記第２差し込み片１３６の凸部１３６Ｆ（上記「第１端部」の一態様）の形状は変更してもよい。凸部１３６Ｆは、箱本体１Ａ（特に、貫通孔Ｓ１の縁）に接触することで、凸部１３６Ｆが箱本体１Ａ内部に係止される形状であればよい。上記「第１端部」の一態様として、例えば、傾斜部１３６Ｇを傾斜角Ｋ（図８）＝０の直線部としてもよい。
【００６３】
上記「第１端部」の形状は、上記のような「嵌め殺し形状」でなければよい（例えば、実施形態１や２における「第１端部」の形状は、嵌め殺し形状ではない）。嵌め殺し形状でなければ、上記「差し込み片」の正規の引き抜きをある程度スムーズにできる。この際、例えば、多少の引っ掛かりがあって、外フラップ３５などが多少破けてもよい（破けないようにした方が見栄えは良くなる。）。また、当該正規の引き抜き時において、例えば、第２差し込み片３６、１３６などが貫通孔Ｓ１の縁にあたって、貫通孔Ｓ１が多少広がってもよい。
【００６４】
上記「第１端部」の形状を、上記「嵌め殺し形状」にしないことによって、上記「第１端部」の形状を上記「嵌め殺し形状」にしたときよりも（つまり、「差し込み片」の両端部を嵌め殺し形状としたときよりも）、上記「箱」の開封作業を容易にするとともに、開封作業にともなって上記「差し込み片」を上記「箱本体」に残留させないようにすることができる。
【００６５】
（構成２）
前記第１端部は、前記第１方向に延び、前記差し込み片を前記差し込み口から引き抜こうとしたときに前記嵌め殺し形状よりも弱い力で前記箱本体に引っ掛かる形状である（例えば、凸部１３６Ｆの形状参照）、ようにするとよい。
【００６６】
このような形状として、例えば、上記「第２端部」の幅（爪部１３６Ｂの幅、つまり、幅Ｄ２−幅Ｄ４の長さ）よりも上記「第１端部」の幅（幅Ｄ５）を短くするとよい。また、上記「第１端部」の上記「第２方向」の上記「折り曲げ線」側の一端を傾斜部１３６Ｇのような傾斜を有する形状としてもよい。
【００６７】
なお、「前記嵌め殺し形状よりも弱い力で前記箱本体に引っ掛かる形状」とは、例えば、上記「差し込み片」の前記第２方向に沿った引き抜きに対する抵抗力が嵌め殺し形状よりも弱い形状や、上記「第１端部」を上記「第２端部」と同形状（嵌め殺し形状）として上記「差し込み片」を正規に引き抜き（上記「切り離し片」を上記「一端側」から上記「他端側」に向かって徐々に切り離すことに伴った上記「差し込み片」の引き抜き）すると仮定したときに上記「差し込み口」から引き抜くのに必要な力（外フラップ３５などを引く力）よりも弱い力で上記「差し込み片」を差し込み口Ｓから正規に引き抜くことができる形状などであればよい（実施形態１や２もこのようになっている）。
【００６８】
前記構成では、上記「差し込み片」の正規の引き抜き時において、上記「第１端部」による当該引き抜きを阻害する力が弱いので、上記「第１端部」の形状を上記「嵌め殺し形状」したときよりも、上記「箱」の開封作業を容易にするとともに、開封作業にともなって上記「差し込み片」を上記「箱本体」に残留させないようにすることができる。
【００６９】
（構成３）
例えば、前記第２端部（例えば、爪部１３６Ｂ）は、前記差し込み片が前記差し込み口に差し込まれたときに、前記箱本体における前記差し込み口の周囲（例えば、正面片１２の裏側であって、内フラップ３１における貫通孔Ｓ１周囲の領域）に回り込む形状（例えば、貫通孔Ｓ１周囲の領域に回り込む爪部１３６Ｂの形状）であり、前記第１端部（例えば、凸部１３６F）は、前記差し込み片が前記差し込み口に差し込まれたときに、前記箱本体における前記差し込み口の周囲（例えば、正面片１２の裏側であって、内フラップ３１における貫通孔Ｓ１周囲の領域）に前記第２端部よりも短い長さだけ回り込む形状（例えば、貫通孔Ｓ１周囲の領域にわずかに回り込む凸部１３６の形状）であり、前記差し込み片が前記差し込み口に差し込まれたときに前記第１端部における前記第２方向の前記折り曲げ線側の一端（例えば、傾斜部１３６Ｇ）が前記箱本体に接触することで、前記第１端部は前記箱本体に係止される（例えば、傾斜部１３６Ｇが箱本体１Ａの貫通孔Ｓ１の縁部分に点接触することで凸部１３６が係止される）、ようにするとよい。
【００７０】
上記「第１端部」における「一端」は、傾斜部１３６Ｇのように傾斜していなくてもよく、上記「折り曲げ線」と平行となっていてもよい。
【００７１】
前記構成では、上記「差し込み片」の正規の引き抜き時において、上記「第１端部」による当該引き抜きを阻害する力が弱いので、上記「第１端部」の形状を上記「嵌め殺し形状」したときよりも、上記「箱」の開封作業を容易にするとともに、開封作業にともなって上記「差し込み片」を上記「箱本体」に残留させないようにすることができる。さらに、上記の係止によって、上記「切り離し片」の一端側の浮き上がりを防止できる（詳しくは実施形態２参照）。
【００７２】
なお、上記構成において、特に、前記第１端部における前記一端は、前記折り曲げ線の延長線に対して傾斜した傾斜部（例えば、傾斜部１３６Ｇ）を有し、前記傾斜部は、前記箱本体に接触することで前記第１端部を前記箱本体に係止する（例えば、傾斜部１３６Ｇが箱本体１Ａの貫通孔Ｓ１の縁部分に点接触することで凸部１３６が係止される）、ようにするとよい。
【００７３】
このようにすることで、上記「差し込み片」の正規の引き抜き時において、上記「傾斜部」が上記「箱本体」に引っ掛からずに摺動でき（上記のように貫通孔Ｓ１を押し広げてもよい。）、これによって、上記「差し込み片」の正規の引き抜きをスムーズにして当該引き抜きを容易にできる。
【００７４】
なお、上記「傾斜部」の傾斜角（図８の傾斜角Ｋなど）は、実施形態２では４５度しているが、当該角度は適宜変更できる。例えば、当該傾斜角を、４５度未満としてもよいし（この場合、箱本体への係止の力が弱くなる。）、４５度よりも大きくしてもよい（この場合、正規の引き抜きに抵抗する力が強くなる）。なお、上記「差し込み片」の正規の引き抜き時には、上記「差し込み片」が回転するように引き抜かれるので（実施形態１及び２参照）、その傾斜角は、４５度であることが望ましい（なお、４０度〜５０度などでもよい）。
【００７５】
（構成４）
また、前記第１端部は、前記差し込み片を前記差し込み口から前記第２方向に沿って引き抜こうとしたときに前記箱本体に引っ掛かる部分がない形状（例えば、実施形態１の第２差し込み片３６の本体３６Ａの爪部３６Ｂと反対側の端部の縦線部６Ｂと湾曲部６Ｃとからなる形状や図１０の形状）である、ようにするとよい。
【００７６】
このようにすることで、上記「差し込み片」の正規の引き抜きをスムーズにして当該引き抜きを容易にできる。
【００７７】
（構成５）
前記第１端部は、前記切り離し片が前記一端側から前記他端側に向かって前記箱本体から徐々に切り離されることで前記差し込み片が前記差し込み口から引き抜かれるときに前記箱本体に引っ掛かる部分がない形状である（例えば、実施形態１、２の第２差し込み片３６、１３６の形状参照）、ようにするとよい。
【００７８】
「引っ掛かる部分がない」とは、例えば、上記「差し込み片」を正規に引き抜くときに箱本体１Ａの内面に引っ掛かる部分がないこと（例えば、上記「差し込み口」の縁から離れた位置での引っ掛かりがない状態）である。上記「引っ掛かる部分がない形状」は、傾斜部１３６Ｇ、曲線３６Ｃ（図１０の形状も含む）、曲線１３６Ｃ（図１０の形状も含む）などを設けることで実現される。
【００７９】
前記構成では、上記「差し込み片」の正規の引き抜きをスムーズにして当該引き抜きを容易にできる。
【００８０】
（構成６）
また、前記一端側と前記他端側とを報知する報知手段（例えば、外フラップ３５の凸部３５Ｂ）をさらに設ける、ようにするとよい。
【００８１】
上記「報知手段」は、外フラップ３５を剥がす方向を報知する印刷表示などであってもよい。なお、外フラップ３５の凸部３５Ｂのように、上記「切り離し片」の一端部を凸部とすることで、消費者は上記「切り離し片」をつまみやすく、また、上記「切り離し線」を離間して凸部を設けることで、消費者は上記「切り離し片」をさらにつまみやすくすることができる（切り離しを容易にしている。）。
【００８２】
前記構成では、上記「差し込み片」の正規の引き抜き方向を分かりやすくして当該引き抜きを容易にできる。
【００８３】
（構成７）
また、前記箱本体は、第１側面片（例えば、背面片１４）と、当該第１側面片に対向する第２側面片（例えば、正面片１２）と、前記第１側面片と第２の折り曲げ線（例えば、折り曲げ線５Ｊ）を介して繋がったフラップ（例えば、内フラップ３１）とを有し、前記差し込み口は、少なくとも前記フラップに設けられ、前記切り離し片は、前記第２側面片に前記切り離し線を介して繋がっている、ようにしてもよい。
【００８４】
内フラップ３１は、箱１の上部を閉口させる形状でなくてもよい。箱１の上部を一部閉口するものでもよい。例えば、図１において内フラップ３１の縦方向の長さを、右側面片１１などの横方向の長さの１／２などにしてもよい。
【００８５】
（変形例）
本発明は、上記実施の形態に限定されず、上記実施の形態は適宜変更してもよい（任意の構成の削除も含む）。以下に変形例を示すが、当該変形例の少なくとも一部同士を組合せてもよい。なお、本発明に係る箱は、組み立て後の箱でもよいし、図１に示すような組み立て前の箱でもよい。
【００８６】
実施形態２では、第２差し込み片１３６の幅（幅Ｄ５と幅Ｄ２との合計の長さ）が差し込み口Ｓの幅Ｄ１よりも長くなっているが、このとき、幅Ｄ５（線状スリット６の縦線部６Ｂから外側（図９の左側）にはみ出す長さ）を、第２差し込み片１３６を差し込み口Ｓに差し込み可能な長さ（第２差し込み片１３６が撓んで差し込まれることが可能な長さ）に設定するとよい。これによって、第２差し込み片１３６の正規の引き抜きでも第２差し込み片１３６が撓んで引き抜かれることが容易となる。
【００８７】
折り曲げ線５Ｍは、ミシン目などの切り離し線であってもよい。
【符号の説明】
【００８８】
１      箱
１Ａ      箱本体
５Ａ〜５Ｎ      折り曲げ線
８Ａ〜８Ｃ      切り離し線
６      線状スリット
１２      正面片
１４      背面片
３１    内フラップ
３１Ａ      内面
３２      第１差し込み片
３５      外フラップ
３６、１３６      第２差し込み片
３６Ｂ、１３６Ｂ      爪部
３６Ｃ、１３６Ｃ      曲線
３６Ｅ、１３６Ｅ      直線
１３６Ｆ      凸部
１３６Ｇ      傾斜部
Ｓ      差し込み口
【図１】
0006516557.tif 000002
【図２】
0006516557.tif 000003
【図３】
0006516557.tif 000004
【図４】
0006516557.tif 000005
【図５】
0006516557.tif 000006
【図６】
0006516557.tif 000007
【図７】
0006516557.tif 000008
【図８】
0006516557.tif 000009
【図９】
0006516557.tif 000010
【図１０】
0006516557.tif 000011